(57)【要約】  複合的な丁合い装置（１０）が提供される。複合的な丁合い装置は、第１の仕上げライン（１３０）において第１の丁合いされた被印刷製品（１４２）を形成する第１の丁合い機（１００）を有しており、第１の仕上げライン（１３０）はトリマ（１３８）を有しており、第２の仕上げライン（２３０）において第２の丁合いされた被印刷製品（２４）を形成する第２の丁合い機（２００）を有しており、第２の仕上げラインは第２のトリマ（２３８）を有している。複合的な丁合い装置（１０）は、第１及び第２の丁合いされた被印刷製品を組み合わせる収集装置（３００）と、第１の丁合いされた製品（１４２）を第１の仕上げライン（１３０）から収集装置（３００）へ搬送する第１の搬送装置（１４０）と、第２の丁合いされた製品（２４２）を第２の仕上げライン（２３０）から収集装置（３００）へ搬送する第２の搬送装置（２４０）とを有している。第１の丁合い機（１００）及び第２の丁合い機（２００）を制御し、第１及び第２の印刷製品（１４２，２４２）を制御された状態で収集装置（３００）において収集するために、複合的な収集装置のための少なくとも１つの制御装置（１２）が設けられている。複合的な丁合い装置のための方法も提供される。
2011520734.tif 000002
【特許請求の範囲】
【請求項１】
複合的な丁合い装置において、
第１の仕上げラインにおいて第１の丁合いされた被印刷製品を形成する第１の丁合い機が設けられており、第１の仕上げラインが第１のトリマを有しており、
第２の仕上げラインにおいて第２の丁合いされた被印刷製品を形成する第２の丁合い機が設けられており、第２の仕上げラインが第２のトリマを有しており、
第１及び第２の丁合いされた被印刷製品を収集するための収集装置が設けられており、
第１の丁合いされた製品を第１の仕上げラインから収集装置へ搬送する第１の搬送装置が設けられており、
第２の丁合いされた製品を第２の仕上げラインから収集装置へ搬送する第２の搬送装置が設けられており、
第１の丁合い機及び第２の丁合い機を制御するための少なくとも１つの制御装置が設けられており、第１及び第２の被印刷製品が、制御された状態で収集装置において収集されることを特徴とする、複合的な丁合い装置。
【請求項２】
収集装置に別の製品を提供するための、収集装置に隣接して配置された付加的なホッパが設けられている、請求項１記載の複合的な丁合い装置。
【請求項３】
別の丁合い機と、別の製品を収集装置へ搬送するための別の搬送装置とが設けられている、請求項１記載の複合的な丁合い装置。
【請求項４】
第１又は第２の搬送装置が、グリッパコンベヤである、請求項１記載の複合的な丁合い装置。
【請求項５】
第１又は第２の搬送装置が、ピンコンベヤ、チェーンコンベヤ、又はベルトである、請求項１記載の複合的な丁合い装置。
【請求項６】
第１又は第２の製品がそれぞれ第１のトリマ又は第２のトリマによって仕上げ裁ちされた後に、第１の搬送装置又は第２の搬送装置が第１又は第２の製品を搬送する、請求項１記載の複合的な丁合い装置。
【請求項７】
第１又は第２の製品がそれぞれ第１のトリマ又は第２のトリマによって仕上げ裁ちされる前に、第１の搬送装置又は第２の搬送装置が第１又は第２の製品を搬送する、請求項１記載の複合的な丁合い装置。
【請求項８】
収集装置が、第１及び第２の製品を一緒に仕上げ裁ちするか又は積み重ねるためのトリマ及びスタッカを有している、請求項１記載の複合的な丁合い装置。
【請求項９】
第１の丁合い機又は第２の丁合い機が、サドルステッチャ又はパーフェクトバインダである、請求項１記載の複合的な丁合い装置。
【請求項１０】
第１及び第２の製品を下流において一緒に仕上げることができるように、収集装置が第２の製品を第１の製品に関して受け取る、請求項１記載の複合的な丁合い装置。
【請求項１１】
第１の仕上げライン又は第２の仕上げラインが、第１又は第２の搬送装置によって搬送されない製品を仕上げることができる、請求項１記載の複合的な丁合い装置。
【請求項１２】
第１の製品が、マスターメーリングリストに関して収集される、請求項１記載の複合的な丁合い装置。
【請求項１３】
第２の製品が、マスターメーリングリストに関して又は第１の製品に関して収集される、請求項１記載の複合的な丁合い装置。
【請求項１４】
丁合い装置を複合化する方法において、
第１のバインディングラインにおいて第１の丁合いされた被印刷製品を形成するステップと、
第２のバインディングラインにおいて第２の丁合いされた被印刷製品を形成するステップと、
第１の丁合いされた製品の少なくとも１つを第１のバインディングラインから収集装置へ搬送するステップと、
第２の丁合いされた製品の少なくとも１つを第２のバインディングラインから収集装置へ搬送するステップと、
第１及び第２の丁合いされた製品を、制御された状態で収集装置において収集するステップと、を有することを特徴とする、丁合い装置を複合化する方法。
【請求項１５】
第１又は第２の丁合いされた製品を搬送するステップの前に、第１又は第２の製品をそれぞれ仕上げ裁ちするステップを有する、請求項１４記載の方法。
【請求項１６】
収集装置におけるトリマを用いて、第１又は第２の丁合いされた製品を搬送するステップの後に第１又は第２の製品を仕上げ裁ちするステップを有する、請求項１４記載の方法。
【請求項１７】
第１の製品が、制御された状態でマスターメーリングリストに関して収集される、請求項１４記載の方法。
【請求項１８】
第２の製品が、制御された状態で第１の製品に関して又はマスターメーリングリストに関して収集される、請求項１４記載の方法。
【請求項１９】
第１又は第２のバインディングラインに接続された第１又は第２の仕上げラインにおいて、収集装置に搬送されない少なくとも１つの第１の製品又は少なくとも１つの第２の製品をそれぞれ仕上げるステップを有する、請求項１４記載の方法。
【発明の詳細な説明】
【技術分野】
【０００１】
本発明は、概して印刷産業のためのポストプレス機器に関する。
【０００２】
背景
引用したことにより本明細書に記載されたものとする米国特許第６１６７３２６号明細書及び米国特許第６３４７２６０号明細書は、郵便番号順に、予め個人宛にされた被印刷アイテムを、予め個人宛にされていないアイテムと組み合わせるための方法を開示している。第１のメーリングリストは、個人宛にされていないアイテムに関連した第２のメーリングリストと組み合わされて、所望の郵便番号順のマスターメーリングリストを製作する。
【０００３】
引用したことにより本明細書に記載されたものとする米国特許第７０９６０８８号明細書は、シーケンスを有するマスターメーリングリストを生ぜしめ、第１の郵便物の流れを形成し、第２の郵便物の流れを形成し、マスターメーリングリストのシーケンスに従って第１の郵便物の流れと第２の郵便物の流れとを組み合わせるという行為を含む、印刷仕上げプロセスにおいて郵便物の流れを組み合わせる方法を開示している。
【０００４】
引用したことにより本明細書に記載されたものとする米国特許第７３３３８７８号明細書及び米国特許第７４７７９６４号明細書は、郵便物の流れを組み合わせる方法を開示しており、この方法において、印刷製品の収集は仕上げラインにおいて行われ、次いで、第２の郵便物の流れがその仕上げラインにおいて組み合わされる。
【０００５】
引用したことにより本明細書に記載されたものとする米国特許出願公開第２００８／０１４７２３３号明細書は、印刷ラインにおいて第１の郵便物の流れを形成するために被印刷製品を提供し、印刷ラインにおいて第２の郵便物の流れを形成するために被印刷製品を提供し、マスターメーリングリストのシーケンスにおいて組み合わされた郵便物の流れを形成するために、第２の郵便物の流れからの被印刷製品を第１の郵便物の流れの被印刷製品上に配置することを開示している。
【０００６】
発明の概要
同じ仕上げラインにおいて郵便物の流れを収集しかつ組み合わせることは、冗長な仕上げラインを必要とする。
【０００７】
本発明の課題は、有利には、共同で製造された（co-manufactured）郵便物の流れを提供する。共同で製造された郵便物の流れは、様々な仕上げ裁ち寸法及び種々異なる寸法の製品を提供することにより、綴じ及び仕上げプロセスにフレキシビリティを付加する。
【０００８】
本発明の別の課題は、別個の収集装置において別個の丁合い及び仕上げラインからの２つ以上の被印刷製品を収集することを提供する。被印刷製品は、被印刷製品を積層及び／又は一緒に郵送することができるように、積み重ねられる又は互いに隣接して配置される。搬送装置及び別個の収集装置の使用は、有利には、製品を一緒に配置することを可能にし、仕上げラインの長さを短縮し、丁合いラインとは別個の別の処理を可能にする。
【０００９】
本発明は、
第１の仕上げラインにおいて第１の丁合いされた被印刷製品を形成する第１の丁合い機が設けられており、第１の仕上げラインがトリマを有しており、
第２の仕上げラインにおいて第２の丁合いされた被印刷製品を形成する第２の丁合い機が設けられており、第２の仕上げラインが第２のトリマを有しており、
第１及び第２の丁合いされた被印刷製品を収集するための収集装置が設けられており、
第１の丁合いされた製品を第１の仕上げラインから収集装置へ搬送する第１の搬送装置が設けられており、
第２の丁合いされた製品を第２の仕上げラインから収集装置へ搬送する第２の搬送装置が設けられており、
第１の丁合い機及び第２の丁合い機を制御するための少なくとも１つの制御装置が設けられており、第１及び第２の印刷製品が制御された状態で収集装置において収集される、複合的な丁合い装置を提供する。
【００１０】
本発明は、
第１のバインディングラインにおいて第１の丁合いされた被印刷製品を形成するステップと、
第２のバインディングラインにおいて第２の丁合いされた被印刷製品を形成するステップと、
第１の丁合いされた製品を第１のバインディングラインから収集装置へ搬送するステップと、
第２の丁合いされた製品をバインディングラインから収集装置へ搬送するステップと、
第１及び第２の丁合いされた製品を制御された状態で収集装置において収集するステップと、を有する、複合的な丁合い装置のための方法も提供する。
【００１１】
第１及び第２の丁合い機は、例えば、サドルステッチャ（中とじ機）、パーフェクトバインダ（無線とじ機）、又はその他のバインダ（とじ機）であってよい。第１及び第２の丁合い機はそれぞれ、複数のホッパ、複数のポケット又は複数の収容位置を有していてよい。収集装置は、コンベヤ、スタッカ、コレータ、インサータ、メールテーブル、又はその他の仕上げ装置を含んでよい。選択的なホッパは、第１及び第２の搬送装置から排出された製品に加えて、収集装置において付加的な製品を載置するために設けられてよい。第１及び第２の搬送装置は、オーバーヘッド型グリッパコンベヤであってよい。付加的な丁合い装置及び付加的な搬送装置が、別の製品を収集装置に排出するために設けられていてもよい。
【００１２】
本発明の好適な実施形態を図面を参照しながら説明する。
【図面の簡単な説明】
【００１３】
【図１】本発明による複合的な丁合い装置の実施形態を示す図である。
【図２】本発明による複合的な丁合い装置の別の好適な実施形態を示す図である。
【００１４】
好適な実施形態の詳細な説明
図１は、複合的な丁合い装置１０の好適な実施形態を示している。装置１０は第１の丁合い機１００と第２の丁合い機２００とを有している。丁合い機１００は、例えば、サドルステッチャ（中とじ機）であり、複数のホッパ１２２を含むホッパセクション１２０と、サドルコンベヤ１２４と、ステッチャ１２６と、仕上げライン１３０に接続されたバインディングライン１２８とを有している。ホッパ１２２は、所望の製品を形成するためにサドルコンベヤ１２４に製品を載置する。製品は、綴じのためにステッチャ１２６へ搬送される。製品は、例えば本、雑誌等に綴じられる。次いで、丁合い機１００において形成されかつ綴じられた製品は、バインディングライン１２８を介して仕上げライン１３０まで下流へ搬送される。
【００１５】
第１の丁合い機１００は制御装置１２に接続されている。制御装置１２は、マスターリストに従って製品を集める。マスターリストは、人口統計情報又は個々の受取人情報を含むマスターメーリングリストであってよい。マスターリストは、例えば標的とされた広告を提供するために、多数のタイトル、又は同じタイトル又は製品のバージョンを集めるための情報を含んでいる。従って、制御装置１２は、所望の製品を集めるために、ホッパ１２２と、コンベヤ１２４と、ステッチャ１２６とを制御する。バインディングの後、製品は仕上げライン１３０へ運搬される。
【００１６】
仕上げライン１３０は、スタッカ１３４と、メールテーブル１３６と、トリマ１３８とを有している。サドルコンベヤ１２４において集められた製品は、積重ねのためのスタッカ１３４まで下流へ進む前に、綴じられた後、仕上げ裁ちされる。
【００１７】
丁合い機２００も、サドルステッチャ（中とじ機）、パーフェクトバインダ（無線とじ機）、又はその他の形式の丁合い装置であってもよい。丁合い機２００は、丁合い機１００と同じ形式であってよいが、丁合い機２００は、異なる形式の丁合い装置であってもよい。図１に示された実施形態において、丁合い機２００はサドルステッチャである。丁合い機２００は、複数のホッパ２２２を含むホッパセクション２２０を有している。丁合い機２００は、サドルコンベヤ２２４、コンベヤ２２４において集められた製品を綴じるためのサドルステッチャ２２６、及びバインディングライン２２８をも有している。次いで、丁合い機２００において形成されかつ綴じられた製品は、バインディングライン２２８を介して仕上げライン２３０まで下流へ搬送される。
【００１８】
第２の丁合い機２００も、制御装置１２に接続されており、さらに従属制御装置１４に接続されていてよい。制御装置１２は、マスターリストに従って丁合い機２００において製品を集める。制御装置１２は、従属制御装置１４を介して丁合い機２００を制御してよい。バインディングの後、製品は仕上げライン２３０へ運搬される。
【００１９】
仕上げライン２３０は、スタッカ２３４と、メールテーブル２３６と、トリマ２３８とを有している。サドルコンベヤ２２４において集められた製品は、次いで、積重ねのためのスタッカ２３４まで下流へ進む前に、綴じられて、仕上げ裁ちされる。各丁合い機１００，２００には、仕上げプロセスの間のフレキシビリティを提供するために個々の仕上げライン１３０，２３０が設けられており、例えば、丁合い機１００，２００において集められた製品１４２，２４２は、それぞれトリマ１３８，２３８によって様々な異なる寸法に仕上げ裁ちされてよい。さらに、個々の仕上げライン１３０，２３０を提供することにより、丁合い機１００，２００は、望まれる又は必要とされる時に個々に作動することができる。個々に作動する場合、制御装置１４が丁合い機２００を制御しながら、制御装置１２は丁合い機１００を制御してよい。
【００２０】
搬送装置１４０，２４０は、それぞれ仕上げライン１３０，２３０と協働するように設けられている。搬送装置１４０，２４０は好適には、グリッパコンベヤであり、例えば、チェーン、ピン、又はベルトコンベヤであってよい。各搬送装置１４０，２４０は、仕上げライン１３０，２３０からの、集められかつ仕上げ裁ちされた被印刷製品を掴むための複数のグリッパを有している。グリッパは、仕上げライン１３０，２３０から、綴じられかつ集められた製品を引き出し、集められた製品を別個の収集装置３００に載置する。グリッパは、仕上げ裁ちの前後及び積重ねの前後を含むバインディングの後のあらゆる時点において、綴じられかつ集められた製品を仕上げライン１３０，２３０から引き出してよい。
【００２１】
収集装置３００は、共同郵便装置（co-mailer）３０２及びスタッカ３０４を有し、トリマも有していてよい。収集装置３００は、少なくとも１つの受取り位置３１０を有しており、別の受取り位置３１２を有していてもよい。
【００２２】
本発明の好適な実施形態によれば、搬送装置１４０，２４０は、第１及び第２の丁合い機１００，２００の集められた製品１４２，２４２を、仕上げライン１３０，２３０から引き出し、集められた製品１４２，２４２を、別個の収集装置３００へ搬送する。受取り位置３１０，３１２は、集められた製品を搬送装置１４０，２４０から受け取る。マスターメーリングリストによって望まれるように、組み合わされた製品３１４は、製品１４２と製品２４２とを含んでいてよい。所望の製品３１６は、マスターメーリングリストによって望まれるように、１つの製品のみ、つまり製品１４２又は製品２４２を含んでいてよい。
【００２３】
仕上げライン１３０，２３０と別個の収集装置３００を提供することによって、丁合い機１００，２００の複合化を達成することができる。丁合い機１００，２００のための仕上げライン１３０，２３０を提供することによって、丁合い機１００，２００も、独立して作動することができる。製品は、収集装置３００において、組み合わされた製品３１４として収集されかつ仕上げられてよいか、又は共同生産モードにおいて所望のように、製品３１６のように、個々に仕上げられてよい。さらに、丁合い機１００，２００は、独立して作動してよく、対応する仕上げライン１３０，２３０を介して、さらなる搬送及びメーリングのために製品１４２，２４２を仕上げてよい。
【００２４】
丁合い機１００において集められ、ステッチャ１２６によって綴じられ、トリマ１３８によって仕上げ裁ちされた製品１４２は、搬送装置１４０のグリッパによって、受取り位置３１０まで搬送される。丁合い機２００において集められ、ステッチャ２２６によって綴じられ、トリマ２３８によって仕上げ裁ちされた製品２４２は、搬送装置２４０のグリッパによって、受取り位置３１０まで搬送され、製品１４２の上に載置され、複合的な製品３１４を形成する。複合的な製品３１４は、さらなる搬送及び排出のために、収集装置３００によってまとめられて積み重ねられてよい。
【００２５】
択一的に、搬送装置１４０，２４０は、製品１４２又は２４２を受取り位置３１０，３１２において載置してよい。例えば、製品３１６は、搬送コンベヤ１４０によって受取り位置３１２において載置された製品１４２である。搬送装置２４０は、マスターメーリングリストを介して制御装置１２から受け取られた情報に基づき、製品２４２を受取り位置３１２において載置していない。従って、製品３１６は、製品１４２を含んでいるが、製品２４２を含んでいない。製品３１６は、さらなる搬送及び排出のために、収集装置３００によって仕上げられる。製品３１６は、製品３１４と共に断続的に形成されてよい。
【００２６】
例えば、製品１４２は、受取人の住所情報によって個人宛にされた一般ニュース雑誌を含んでよい。製品２４２は、情報によって個人宛にされた又はされていない、一般スポーツ雑誌を含んでよい。製品２４２は、例えばマスターメーリングリストに基づいて、所望に応じて、収集装置３００において製品１４２と組み合わされてよい。マスターメーリングリストは、一般ニュース雑誌と、一般スポーツ雑誌とを受け取るように選択された受取人のリストを含んでよい。メーリングのコストを減じかつ効率を高めるために、搬送装置２４０は、排出位置３１０，３１２においてスポーツ雑誌製品２４２をニュース雑誌製品１４２の上に載置し、組み合わされた製品３１４を形成し、この製品３１４はさらなる処理のために下流へ搬送される。
【００２７】
トリマ１３８，２３８を含む別個の仕上げライン１３０，２３０を提供することにより、製品１４２，２４２は、様々な異なる寸法に仕上げ裁ちされ、所望に応じて共同生産（co-manufacturing）運転のために搬送装置１４０，２４０を介して収集装置３００においてさらに容易に組み合わされてよい。従って、一般ニュース雑誌と、一般スポーツ雑誌とは、様々な異なる判型及び寸法を有していてよい。
【００２８】
別の好適な実施形態において、マスターメーリングリストは、例えば、購読情報を含んでよい。製品２４２は、例えば、購読更新カード又は告知であってよい。従って、搬送装置２４０は、マスターメーリングリストに含まれた更新情報に基づいて、カード製品２４２をニュース雑誌製品１４２に載置してよい。
【００２９】
制御装置１２は、共同生産運転中に第２の丁合いされた製品２４２が第１の丁合いされた製品１４２に関して形成されるように、第１の丁合い機１００と、第２の丁合い機２００とを制御する。制御装置１２は、収集装置３００、及び収集装置３００において収集される製品３１４，３１６の収集をも制御する。第２の丁合い機２００からの製品２４２は、第１の丁合い機１００からの製品１４２に関して収集されてよい。図１に示したように、２つ以上の制御装置が提供されてよい。主制御装置１２は第１の丁合い機１００を制御し、従属制御装置１４が第２の丁合い機２００を制御してよい。共同生産運転中に、制御装置１２は、第１及び第２の丁合い機１００，２００を直接に制御するか、又は制御装置１２及び／又は制御装置１４が制御してよい。
【００３０】
共同メーリング運転中、制御装置１２は、バインディングライン１２８から収集装置３００への及びバインディングライン２２８から収集装置３００への製品の供給を制御する。制御装置１２は、製品１４２，２４２が制御された状態で収集装置３００において収集されるように、丁合い機１００，２００と、バインディングライン１２８，２２８と、仕上げライン１３０，２３０と、搬送装置１４０，２４０との適切なタイミング及び順序づけを維持する。
【００３１】
グリッパは、バインダメールヘッドの前又は後に製品１４２，２４２を取り上げてよい。仕上げ裁ちの後に仕上げライン１３０，２３０から製品１４２，２４２を引き出すことにより、様々な異なる寸法の本がそれぞれのバインディングライン１２８，２２８において生産され、下流において組み合わされる。
【００３２】
別の好適な実施形態において、３つ以上の丁合い機及び３つ以上の搬送装置が提供されてよい。さらに、付加的な製品又は材料を載置するために収集装置３００に選択的なホッパが提供されてよい。
【００３３】
図２は、複合的な丁合い装置４１０の別の好適な実施形態を示している。複合的な丁合い装置４１０は、ホッパセクションと、被印刷製品４４２を丁合いするための複数のホッパ４２２とを有する第１のバインダ４２８を有している。第２のバインダ５２８も、ホッパセクションと、被印刷製品５４２を丁合いする複数のホッパ５２２とを有している。第１及び第２のバインダ４２８，５２８は、サドルステッチャ（中とじ機）又はパーフェクトバインダ（無線とじ機）であってよい。トリマ４３８，５３８は、製品を様々な異なる寸法又は同じ寸法に仕上げ裁ちしてよい。第１の搬送装置４４０と、第２の搬送装置５４０とは、製品４４２，５４２がそれぞれトリマ４３８，５３８によって仕上げ裁ちされた後に、第１の仕上げライン４３０と第２の仕上げライン５３０とから製品４４２，５４２を取り出す。搬送装置４４０，５４０はそれぞれ、製品を仕上げライン４３０，５３０から引き出すための複数のグリッパ４４４，５４４を有している。搬送装置４４０，５４０は、望まれるならば仕上げ裁ちの前に製品４４２，５４２を取り出してよい。
【００３４】
搬送装置４４０，５４０は、製品を別個の収集装置６００へ搬送する。収集装置６００は、第１及び第２の搬送装置４４０，５４０から製品を受け取るための複数の受取り位置６１０，６１２を有している。製品４４２は、所望に応じて最終製品６１４を形成するために、収集装置６００において製品５４２と組み合わされてよい。収集装置は、コレータ、インサータ、トリマ、メールテーブル６３６、スタッカ６３４、又は所望に応じてその他の仕上げ装置を含んでよい。
【００３５】
付加的な製品を受取り位置６１０，６１２に提供するために、選択的なフィードホッパ６２２，６２２′が収集装置６００に関して配置されてもよい。選択的なフィードホッパ６２２，６２２′は、バインダ４２８，５２８からの予備的に綴じられた製品又は溢れた本を含んでよい。
【００３６】
付加的なバインダには、別の製品を収集装置６００に提供するために搬送装置が設けられていてもよい。各バインダ４２８，５２８は、それぞれ別個の仕上げライン４３０，５３０と、トリマ４３８，５３８と、スタッカ４３４，５３４とを有するので、あらゆる付加的なバインダを含む各バインダ４２８，５２８は、独立して作動してよい。従って、バインダ４２８，５２８は、複合モードにおいて、製品を共同で生産する場合に付加的なバインダと協働するか、又は各バインダ４２８，５２８は独立して作動することができる。バインダ４２８，５２８は、ギャップ又はその他のバインダ生産中断の間に、非選択的な内容のバルクメール、ノンメール又はオーバーフローコピーを生産してもよい。
【００３７】
前記明細書において、発明は、発明の特定の典型的な実施形態及び例に関して説明された。しかしながら、以下の請求項に記載のような発明のより広い精神及び範囲から逸脱することなく、前記実施形態に対して様々な変更が加えられてよいことが明らかになるであろう。従って、明細書及び図面は、制限的な意味ではなく例示形式で見なされるべきである。
【図１】
2011520734.tif 000003
【図２】
2011520734.tif 000004
【国際調査報告】
2011520734.tif 000005